(57)【要約】  本発明の実施例は、ネットワークのリダイレクト方法、端末、アクセスネットワークデバイス及び移動管理デバイスを提供する。本発明の実施例において、アクセスネットワークデバイスが端末にリダイレクトのためのネットワーク変更指示情報を送信し、端末が前記ネットワーク変更指示情報に基づいて、リダイレクトされる目標コアネットワークのコアネットワークタイプを取得するように指示し、さらに、コアネットワークタイプに応じてターゲットコアネットワークにアクセスすることで、異なるタイプのコアネットワーク間のインタフェースを依存することなく、異なるタイプのコアネットワーク間のネットワーク変更を実現でき、異なるタイプのコアネットワーク間のネットワーク変更の信頼性が向上する。
2021513231.tif 000002
【特許請求の範囲】
【請求項１】
端末がアクセスネットワークデバイスにより送信されたリダイレクトのためのネットワーク変更指示情報を受信することと、
前記端末が前記ネットワーク変更指示情報に基づいて、リダイレクトされる目標コアネットワークのコアネットワークタイプを取得することと、
前記端末が前記コアネットワークタイプに基づいて、前記目標コアネットワークにアクセスすることとを含む
ことを特徴とするネットワークのリダイレクト方法。
【請求項２】
前記ネットワーク変更要求情報は、ネットワーク変更指示又は目標コアネットワーク識別子を含む
ことを特徴とする請求項１に記載のネットワークのリダイレクト方法。
【請求項３】
前記端末がアクセスネットワークデバイスにより送信されたリダイレクトのためのネットワーク変更指示情報を受信することは、
前記端末が前記アクセスネットワークデバイスにより送信されたＲＲＣ接続解放メッセージを受信することを含み、前記ＲＲＣ接続解放メッセージに前記ネットワーク変更指示情報が含まれる
ことを特徴とする請求項１に記載のネットワークのリダイレクト方法。
【請求項４】
前記端末が前記コアネットワークタイプに基づいて、前記目標コアネットワークにアクセスすることは、
前記端末が目標アクセスネットワークデバイスを介して前記目標コアネットワークにアクセスするように、前記端末がリダイレクトされる目標アクセスネットワークデバイスに前記目標コアネットワークのコアネットワークタイプを示すコアネットワークタイプ指示情報を送信することを含む
ことを特徴とする請求項１に記載のネットワークのリダイレクト方法。
【請求項５】
前記端末がリダイレクトされる目標アクセスネットワークデバイスに前記目標コアネットワークのコアネットワークタイプを示すコアネットワークタイプ指示情報を送信することは、
前記端末が前記目標アクセスネットワークデバイスにＲＲＣ接続要求メッセージを送信することを含み、前記ＲＲＣ接続要求メッセージに前記コアネットワークタイプ指示情報が含まれる
ことを特徴とする請求項４に記載のネットワークのリダイレクト方法。
【請求項６】
前記コアネットワークタイプ指示情報は、コアネットワークタイプ指示又はＮＡＳ能力を含む
ことを特徴とする請求項４に記載のネットワークのリダイレクト方法。
【請求項７】
前記ネットワーク変更指示情報は、目標コアネットワーク識別子又はコアネットワークを変更するかどうかを指示するネットワーク変更指示を含む
ことを特徴とする請求項１〜６のいずれか１項に記載のネットワークのリダイレクト方法。
【請求項８】
端末がネットワーク変更指示情報に基づいて、リダイレクトされる目標コアネットワークのコアネットワークタイプを取得し、前記コアネットワークタイプに基づいて前記目標コアネットワークにアクセスするように、アクセスネットワークデバイスが端末にリダイレクトのためのネットワーク変更タイプ指示情報を送信することを含む
ことを特徴とするネットワークのリダイレクト方法。
【請求項９】
前記アクセスネットワークデバイスが端末にリダイレクトのためのネットワーク変更タイプ指示情報を送信する前に、さらに、
前記アクセスネットワークデバイスが移動管理デバイスにより送信されたネットワーク変更のためのネットワーク変更要求情報を受信することを含む
ことを特徴とする請求項８に記載のネットワークのリダイレクト方法。
【請求項１０】
前記ネットワーク変更要求情報は、音声サービス又は緊急サービスの音声フォールバックに使用される
ことを特徴とする請求項９に記載のネットワークのリダイレクト方法。
【請求項１１】
前記ネットワーク変更要求情報は、目標コアネットワーク識別子又はコアネットワークを変更するかどうかを指示するネットワーク変更指示を含む
ことを特徴とする請求項９に記載のネットワークのリダイレクト方法。
【請求項１２】
前記アクセスネットワークデバイスが移動管理デバイスにより送信されたネットワーク変更のためのネットワーク変更要求情報を受信することは、
前記アクセスネットワークデバイスが前記移動管理デバイスにより送信されたＮ２要求メッセージ又はＵＥコンテキスト変更要求メッセージを受信することを含み、前記Ｎ２要求メッセージ又は前記ＵＥコンテキスト変更要求メッセージには前記ネットワーク変更要求情報が含まれる
ことを特徴とする請求項９に記載のネットワークのリダイレクト方法。
【請求項１３】
前記アクセスネットワークデバイスが端末にリダイレクトのためのネットワーク変更指示情報を送信することは、
前記アクセスネットワークデバイスが前記端末にＲＲＣ接続解放メッセージを送信することを含み、前記ＲＲＣ接続解放メッセージに前記ネットワーク変更指示情報が含まれる
ことを特徴とする請求項８に記載のネットワークのリダイレクト方法。
【請求項１４】
前記ネットワーク変更指示情報は、目標コアネットワーク識別子又はコアネットワークを変更するかどうかを指示するネットワーク変更指示を含む
ことを特徴とする請求項８〜１３のいずれか１項に記載のネットワークのリダイレクト方法。
【請求項１５】
アクセスネットワークデバイスが端末にリダイレクトされるネットワーク変更指示情報を送信し、前記端末が前記ネットワーク変更指示情報に基づいてリダイレクトされる目標コアネットワークのコアネットワークタイプを取得し、前記コアネットワークタイプに基づいて前記目標コアネットワークにアクセスするように、移動管理デバイスがアクセスネットワークデバイスにネットワーク変更のためのネットワーク変更要求情報を送信することを含む
ことを特徴とするネットワークのリダイレクト方法。
【請求項１６】
前記ネットワーク変更要求情報は、音声サービス又は緊急サービスの音声フォールバックに使用される
ことを特徴とする請求項１５に記載のネットワークのリダイレクト方法。
【請求項１７】
前記移動管理デバイスがアクセスネットワークデバイスにネットワーク変更のためのネットワーク変更要求情報を送信することは、
前記移動管理デバイスが前記アクセスネットワークデバイスにＮ２要求メッセージ又はＵＥコンテキスト変更要求メッセージを送信することを含み、前記Ｎ２要求メッセージ又は前記ＵＥコンテキスト変更要求メッセージには前記ネットワーク変更要求情報が含まれる
ことを特徴とする請求項１５に記載のネットワークのリダイレクト方法。
【請求項１８】
前記ネットワーク変更要求情報は、ネットワーク変更指示又は目標コアネットワーク識別子を含む
ことを特徴とする請求項１５〜１７のいずれか１項に記載のネットワークのリダイレクト方法。
【請求項１９】
前記ネットワーク変更指示情報は、目標コアネットワーク識別子又はコアネットワークを変更するかどうかを指示するネットワーク変更指示を含む
ことを特徴とする請求項１５〜１７のいずれか１項に記載のネットワークのリダイレクト方法。
【請求項２０】
受信ユニットと、取得ユニットと、アクセスユニットと、備える端末であって、
前記受信ユニットは、アクセスネットワークデバイスにより送信された、リダイレクトのためのネットワーク変更指示情報を受信するように構成され、
前記取得ユニットは、前記ネットワーク変更指示情報に基づいて、リダイレクトされる目標コアネットワークのコアネットワークタイプを取得するように構成され、
前記アクセスユニットは、前記コアネットワークタイプに基づいて、前記目標コアネットワークにアクセスするように構成される
ことを特徴とする端末。
【請求項２１】
前記受信ユニットは、
前記アクセスネットワークデバイスにより送信されたＲＲＣ接続解放メッセージを受信するように構成され、前記ＲＲＣ接続解放メッセージに前記ネットワーク変更指示情報が含まれる
ことを特徴とする請求項２０に記載の端末。
【請求項２２】
前記アクセスユニットは、
前記端末が前記目標アクセスネットワークデバイスを介して前記目標コアネットワークにアクセスするように、リダイレクトされる目標アクセスネットワークデバイスに前記目標コアネットワークのコアネットワークタイプを指示するコアネットワークタイプ指示情報を送信するように構成される
ことを特徴とする請求項２０に記載の端末。
【請求項２３】
前記アクセスユニットは、前記目標アクセスネットワークデバイスにＲＲＣ接続要求メッセージを送信するように構成され、前記ＲＲＣ接続要求メッセージに前記コアネットワークタイプ指示情報が含まれる
ことを特徴とする請求項２２に記載の端末。
【請求項２４】
前記コアネットワークタイプ指示情報は、コアネットワークタイプ指示又はＮＡＳ能力を含む
ことを特徴とする請求項２３に記載の端末。
【請求項２５】
前記ネットワーク変更指示情報は、目標コアネットワーク識別子又はコアネットワークを変更するかどうかを指示するネットワーク変更指示を含む
ことを特徴とする請求項２０〜２４のいずれか１項に記載の端末。
【請求項２６】
送信ユニットを備えるアクセスネットワークデバイスであって、
前記送信ユニットは、
端末がネットワーク変更指示情報に基づいて、リダイレクトされる目標コアネットワークのコアネットワークタイプを取得し、前記コアネットワークタイプに基づいて、前記目標コアネットワークにアクセスするように、端末にリダイレクトのためのネットワーク変更指示情報を送信するように構成される
ことを特徴とするアクセスネットワークデバイス。
【請求項２７】
前記アクセスネットワークデバイスは、さらに、受信ユニットを含み、前記受信ユニットは、移動管理デバイスにより送信された、ネットワーク変更のためのネットワーク変更要求情報を受信するよう構成される
ことを特徴とする請求項２６に記載のアクセスネットワークデバイス。
【請求項２８】
前記ネットワーク変更命令情報は、音声サービス又は緊急サービスの音声フォールバックに使用される
ことを特徴とする請求項２７に記載のアクセスネットワークデバイス。
【請求項２９】
前記ネットワーク変更要求情報は、目標コアネットワーク識別子又はコアネットワークを変更するかどうかを指示するネットワーク変更指示を含む
ことを特徴とする請求項２７に記載のアクセスネットワークデバイス。
【請求項３０】
前記受信ユニットは、
前記移動管理デバイスにより送信されたＮ２要求メッセージ又はＵＥコンテキスト変更要求メッセージを受信するように構成され、前記Ｎ２要求メッセージ又は前記ＵＥコンテキスト変更要求メッセージには前記ネットワーク変更要求情報が含まれる
ことを特徴とする請求項２７に記載のアクセスネットワークデバイス。
【請求項３１】
前記送信ユニットは、
前記端末にＲＲＣ接続解放メッセージを送信するように構成され、前記ＲＲＣ接続解放メッセージに前記ネットワーク変更指示情報が含まれる
ことを特徴とする請求項２６に記載のアクセスネットワークデバイス。
【請求項３２】
前記ネットワーク変更指示情報は、目標コアネットワーク識別子又はコアネットワークを変更するかどうかを指示するネットワーク変更指示を含む
ことを特徴とする請求項２６〜３１のいずれか１項に記載のアクセスネットワークデバイス。
【請求項３３】
送信ユニットを備える移動管理デバイスであって、
前記送信ユニットは、
アクセスネットワークデバイスが端末にリダイレクトのためのネットワーク変更指示情報を送信し、前記端末が前記ネットワーク変更指示情報に基づいて、リダイレクトされる目標コアネットワークのコアネットワークタイプを取得し、前記コアネットワークタイプに基づいて、前記目標コアネットワークにアクセスするように、アクセスネットワークデバイスにネットワーク変更のためのネットワーク変更要求情報を送信するように構成される
ことを特徴とする移動管理デバイス。
【請求項３４】
前記ネットワーク変更要求情報は、音声サービス又は緊急サービスの音声フォールバックに使用される
ことを特徴とする請求項３３に記載の移動管理デバイス。
【請求項３５】
前記送信ユニットは、
前記アクセスネットワークデバイスにＮ２要求メッセージ又はＵＥコンテキスト変更要求メッセージを送信するように構成され、前記Ｎ２要求メッセージ又は前記ＵＥコンテキスト変更要求メッセージには前記ネットワーク変更要求情報が含まれる
ことを特徴とする請求項３３に記載の移動管理デバイス。
【請求項３６】
前記ネットワーク変更要求情報は、目標コアネットワーク識別子又はコアネットワークを変更するかどうかを指示するネットワーク変更指示を含む
ことを特徴とする請求項３３〜３５のいずれか１項に記載の移動管理デバイス。
【請求項３７】
前記ネットワーク変更指示情報は、目標コアネットワーク識別子又はコアネットワークを変更するかどうかを指示するネットワーク変更指示を含む
ことを特徴とする請求項３３〜３５のいずれか１項に記載の移動管理デバイス。
【発明の詳細な説明】
【技術分野】
【０００１】
本発明は、無線通信技術に関し、特に、ネットワークのリダイレクト方法、端末、アクセスネットワークデバイス及び移動管理デバイスに関する。
【背景技術】
【０００２】
無線ネットワーク通信技術の急速な発展に伴い、無線通信ネットワークは、５Ｇ時代に進入する。５Ｇ時代では、端末( Ｕｓｅｒ Ｅｑｕｉｐｍｅｎｔ、ＵＥ )は、次世代無線アクセスネットワーク( Ｎｅｘｔ Ｇｅｎｅｒａｔｉｏｎ−Ｒａｄｉｏ Ａｃｃｅｓｓ Ｎｅｔｗｏｒｋ、ＮＧ−ＲＡＮ )を通じて、５Ｇコアネットワークである次世代コアネットワーク( Ｎｅｘｔ Ｇｅｎｅｒａｔｉｏｎ Ｃｏｒｅ Ｎｅｔｗｏｒｋ、ＮＧＣＮ )にアクセスすることができるだけでなく、進化型ユニバーサル移動通信システム地上無線アクセスネットワーク( Ｅｖｏｌｖｅｄ Ｕｎｉｖｅｒｓａｌ Ｍｏｂｉｌｅ Ｔｅｌｅｃｏｍｍｕｎｉｃａｔｉｏｎ Ｓｙｓｔｅｍ Ｔｅｒｒｉｔｏｒｉａｌ Ｒａｄｉｏ Ａｃｃｅｓｓ Ｎｅｔｗｏｒｋ、Ｅ−ＵＴＲＡＮ )を通じて、４Ｇコアネットワークである進化型パケットコアネットワーク( Ｅｖｏｌｖｅｄ Ｐａｃｋｅｔ Ｃｏｒｅ Ｎｅｔｗｏｒｋ、ＥＰＣ )にアクセスすることができる。ここで、ＮＧ−ＲＡＮには、５Ｇ基地局であるｇＮＢと、４Ｇ基地局であるｅＮＢとの２つのタイプのアクセスネットワークデバイスが含まれてもよい。現在、ＮＧＣＮとＥＰＣとの間のネットワーク変更は、ＮＧＣＮにおけるアクセスおよびモビリティ管理機能( Ａｃｃｅｓｓ ａｎｄ Ｍｏｂｉｌｉｔｙ Ｍａｎａｇｅｍｅｎｔ Ｆｕｎｃｔｉｏｎ、ＡＭＦ )とＥＰＣにおけるモビリティ管理エンティティ( Ｍｏｂｉｌｉｔｙ Ｍａｎａｇｅｍｅｎｔ Ｅｎｔｉｔｙ、ＭＭＥ )との間のＮ２６インターフェースによって達成され得る。
【０００３】
しかし、Ｎ２６インタフェースに完全に依存してＮＧＣＮとＥＰＣとの間のネットワーク変更が実現されるため、Ｎ２６インタフェースがない場合やＮ２６インタフェースに障害が発生した場合など、ＮＧＣＮとＥＰＣとの間のネットワーク変更が実現できず、ＮＧＣＮとＥＰＣとの間のネットワーク変更の信頼性が低下する場合がある。他のタイプのコアネットワーク間のネットワーク変更についても同様の問題があった。
【発明の概要】
【０００４】
本発明の複数の態様は、異なるタイプのコアネットワーク間のネットワークの変更に対する信頼性を向上させることができるネットワークのリダイレクト方法、端末、アクセスネットワークデバイス及び移動管理デバイスを提供する。
【０００５】
本発明の１つの態様は、ネットワークのリダイレクト方法を提供し、
端末がアクセスネットワークデバイスにより送信されたリダイレクトのためのネットワーク変更指示情報を受信することと、
前記端末が前記ネットワーク変更指示情報に基づいて、リダイレクトされる目標コアネットワークのコアネットワークタイプを取得することと、
前記端末が前記コアネットワークタイプに基づいて、前記目標コアネットワークにアクセスすることとを含む。
【０００６】
本発明の他の態様は、ネットワークのリダイレクト方法を提供し、
前記端末が前記ネットワーク変更指示情報に基づいて、リダイレクトされる目標コアネットワークのコアネットワークタイプを取得し、前記コアネットワークタイプに基づいて、前記目標コアネットワークにアクセスするように、アクセスネットワークデバイスが端末にリダイレクトのためのネットワーク変更指示情報を送信することを含む。
【０００７】
本発明の他の態様は、ネットワークのリダイレクト方法を提供し、
前記アクセスネットワークデバイスが端末にリダイレクトされるネットワーク変更指示情報を送信し、前記端末が前記ネットワーク変更指示情報に基づいてリダイレクトされる目標コアネットワークのコアネットワークタイプを取得し、前記コアネットワークタイプに基づいて前記目標コアネットワークにアクセスするように、移動管理デバイスがアクセスネットワークデバイスにネットワーク変更のためのネットワーク変更要求情報を送信することを含む。
【０００８】
本発明の他の態様は、端末を提供し、受信ユニットと、取得ユニットと、アクセスユニットとを備え
受信ユニットは、アクセスネットワークデバイスにより送信された、リダイレクトのためのネットワーク変更指示情報を受信するように構成され、
取得ユニットは、前記ネットワーク変更指示情報に基づいて、リダイレクトされる目標コアネットワークのコアネットワークタイプを取得するように構成され、
アクセスユニットは、前記コアネットワークタイプに基づいて、前記目標コアネットワークにアクセスするように構成される。
【０００９】
本発明の他の態様は、アクセスネットワークデバイスを提供し、送信ユニットを備え、
送信ユニットは、前記端末が前記ネットワーク変更指示情報に基づいて、リダイレクトされる目標コアネットワークのコアネットワークタイプを取得し、前記コアネットワークタイプに基づいて前記目標コアネットワークにアクセスするように、端末にリダイレクトのためのネットワーク変更指示情報を送信するように構成される。
【００１０】
本発明の他の態様は、移動管理デバイスを提供し、送信ユニットを備え、
送信ユニットは、前記アクセスネットワークデバイスが端末にリダイレクトのためのネットワーク変更指示情報を送信し、前記端末が前記ネットワーク変更指示情報に基づいて、リダイレクトされる目標コアネットワークのコアネットワークタイプを取得し、前記コアネットワークタイプに基づいて、前記目標コアネットワークにアクセスするように、アクセスネットワークデバイスにネットワーク変更のためのネットワーク変更要求情報を送信するように構成される。
【００１１】
以上のように、本発明の実施例によれば、アクセスネットワークデバイスがリダイレクトのためのネットワーク変更指示情報を端末に送信することで、端末は、ネットワーク変更指示情報に基づいてリダイレクトされる目標コアネットワークのコアネットワークタイプを把握し、コアネットワークタイプに応じて目標コアネットワークにアクセスすることで、異なるタイプのコアネットワーク間のインタフェースを依存することなく、異なるタイプのコアネットワーク間のネットワーク変更を実現することができ、異なるタイプのコアネットワーク間のネットワーク変更の信頼性を向上させることができる。
【図面の簡単な説明】
【００１２】
本発明の実施例における技術的解決策をより明確に説明するために、以下の実施例または従来技術の説明に必要な図面を簡単に説明すると、以下の説明における図面は本発明の実施例であり、当業者であれば、創造的な労働を伴うことなく、これらの図面に基づいて他の図面を得ることができることは明らかである。
【図１】本発明の実施例におけるネットワークのリダイレクト方法のフローチャートである。
【図２】本発明の他の実施例におけるネットワークのリダイレクト方法のフローチャートである。
【図３】本発明の他の実施例におけるネットワークのリダイレクト方法のフローチャートである。
【図４】本発明の他の実施例における端末の構成図である。
【図５Ａ】本発明の他の実施例におけるアクセスネットワークデバイスの構成図である。
【図５Ｂ】本発明の他の実施例におけるアクセスネットワークデバイスの構成図である。
【図６】本発明の他の実施例における移動管理デバイスの構成図である。
【発明を実施するための形態】
【００１３】
本発明の実施例の目的、技術的解決策、及び利点をより明確にするために、以下に、本発明の実施例における技術的解決策を、本発明の実施例における図面と併せて、明確かつ完全に説明し、記載された実施例は、本発明の一部の実施例であり、全ての実施例ではないことを理解する。本発明の実施形態に基づいて、当業者が創造的な労働をすることなく得た全ての他の実施形態は、本発明の保護範囲に属する。
【００１４】
また、ここでいう「及び/又は」とは、単に関連のある対象を記述するための関連関係の一種であり、Ａ及び/又はＢの３種類の関係が存在し得ることを示し、Ａのみ、ＡとＢが同時に存在すること、Ｂのみが存在することの３種類の場合があり得ることを示す。なお、本文中の「/」の文字は、前後の関連オブジェクトが一種の「または」の関係であることを一般的に示す。
【００１５】
図１は本発明の実施例におけるネットワークのリダイレクト方法のフローチャートであり、図１に示すように、以下のステップを含む。
【００１６】
１０１において、端末がアクセスネットワークデバイスにより送信されたリダイレクトのためのネットワーク変更指示情報を受信する。
【００１７】
１０２において、前記端末が前記ネットワーク変更指示情報に基づいて、リダイレクトされる目標コアネットワークのコアネットワークタイプを取得する。
【００１８】
１０３において、前記端末が前記コアネットワークタイプに基づいて、前記目標コアネットワークにアクセスする。
【００１９】
本発明の核心思想は、アクセスネットワークデバイスが端末にリダイレクトのためのネットワーク変更指示情報を送信して、端末が前記ネットワーク変更指示情報に基づいて、リダイレクトされる目標コアネットワークのコアネットワークタイプを把握するように指示し、前記コアネットワークタイプに基づいて、前記目標コアネットワークにアクセスする。
【００２０】
これにより、異なるタイプのコアネットワーク間のインタフェースに依存することなく、異なるタイプのコアネットワーク間のネットワーク変更を実現することができ、異なるタイプのコアネットワーク間のネットワーク変更の信頼性を向上させることができる。
【００２１】
なお、本実施例は、５ＧコアネットワークＮＧＣＮから４ＧコアネットワークＥＰＣへのネットワーク変更や、さらに４ＧコアネットワークＥＰＣから５ＧコアネットワークＮＧＣＮへのネットワーク変更など、異なるタイプのコアネットワーク間のネットワーク変更にも適用可能である。以下、異なる実施形態をそれぞれ参照して詳細に説明する。
【００２２】
本実施例において、前記端末が受信するリダイレクトのためのネットワーク変更指示情報は、ネットワーク変更指示であってもよく、又は目標コアネットワーク識別子であってもよく、本実施例はこれを特に限定しない。
【００２３】
ここで、
前記ネットワーク変更指示は、コアネットワークを変更するか否かを指示する。例えば、１ビットをネットワーク変更指示として採用することができ、１がコアネットワークを変更することを示し、０がコアネットワークを変更しないことを示し、又は、０がコアネットワークを変更することを示し、１がコアネットワークを変更しないことを示す。
【００２４】
前記目標コアネットワーク識別子は、リダイレクトされる目標コアネットワークのコアネットワークタイプを示す。例えば、目標コアネットワーク識別子として１ビットを採用し、１は５ＧコアネットワークＮＧＣＮを表し、０は４ＧコアネットワークＥＰＣを表し、又は、０は５ＧコアネットワークＮＧＣＮを表し、１は４ＧコアネットワークＥＰＣを表す。
【００２５】
任意選択で、この実施例の実現可能な方式において、１０１の前に、アクセスネットワークデバイスは、さらに、移動管理デバイスにより送信された、ネットワーク変更のためのネットワーク変更要求情報を受信する。
【００２６】
ここで、前記ネットワーク変更要求情報は、具体的に、音声サービス又は緊急サービスの音声フォールバック（Ｆａｌｌｂａｃｋ）に使用されるネットワーク変更要求情報であってもよい。
【００２７】
具体的には、アクセスネットワークデバイスが受信するネットワーク変更のためのネットワーク変更要求情報は、ネットワーク変更指示であってもよいし、目標コアネットワーク識別子であってもよく、本実施形態では特に限定しない。
【００２８】
ここで、
前記ネットワーク変更指示は、コアネットワークを変更するか否かを指示する。例えば、１ビットをネットワーク変更指示として採用することができ、１がコアネットワークを変更することを示し、０がコアネットワークを変更しないことを示し、又は、０がコアネットワークを変更することを示し、１がコアネットワークを変更しないことを示す。
【００２９】
前記目標コアネットワーク識別子は、リダイレクトされる目標コアネットワークのコアネットワークタイプを示す。例えば、目標コアネットワーク識別子として１ビットを採用し、１は５ＧコアネットワークＮＧＣＮを表し、０は４ＧコアネットワークＥＰＣを表し、又は、０は５ＧコアネットワークＮＧＣＮを表し、１は４ＧコアネットワークＥＰＣを表す。
【００３０】
１つの特定の実現過程において、ＵＥが現在５ＧコアネットワークＮＧＣＮにアクセスしている場合、このＮＧＣＮにアクセスするアクセスネットワークデバイスｅＮＢ又はｇＮＢは、ＡＭＦによって送信されたＮ２要求（Ｎ２ Ｒｅｑｕｅｓｔ）メッセージを受信することができ、このＮ２ Ｒｅｑｕｅｓｔメッセージにネットワーク変更要求情報が含まれる。
【００３１】
他の特定の実現方式において、ＵＥが４ＧコアネットワークＥＰＣに現在アクセスする場合、ＥＰＣにアクセスするアクセスネットワークデバイスｅＮＢは、ＭＭＥによって送信されたＵＥコンテキスト変更要求( ＵＥ ＣＯＮＴＥＸＴ ＭＯＤＩＦＩＣＡＴＩＯＮ ＲＥＱＵＥＳＴ )メッセージを受信することができ、このＵＥ ＣＯＮＴＥＸＴ ＭＯＤＩＦＩＣＡＴＩＯＮ ＲＥＱＵＥＳＴメッセージにネットワーク変更要求情報が含まれる。
【００３２】
任意選択で、この実施例の実現可能な方式において、１０１において、端末は、特に、前記アクセスネットワークデバイスによって送信されたＲＲＣ接続解放( ＲＲＣ  Ｃｏｎｎｅｃｔｉｏｎ  Ｒｅｌｅａｓｅ )メッセージを受信し、前記ＲＲＣ接続解放メッセージに前記ネットワーク変更指示情報が含まれる。
【００３３】
具体的には、このネットワーク変更指示情報は、特に、解放理由( ＲｅｌｅａｓｅＣａｕｓｅ ) ＩＥなどのような、ＲＲＣ  Ｃｏｎｎｅｃｔｉｏｎ  Ｒｅｌｅａｓｅメッセージ内の既存の情報要素( Ｉｎｆｏｒｍａｔｉｏｎ Ｅｌｅｍｅｎｔ、ＩＥ )によって搬送されてもよく、またはＲＲＣ  Ｃｏｎｎｅｃｔｉｏｎ  Ｒｅｌｅａｓｅメッセージ内の新たな追加ＩＥによって搬送されてもよく、本実施形態は、特に限定されない。
【００３４】
任意選択で、この実施例の実現可能な方式において、１０２において、前記端末は、前記ネットワーク変更指示情報に基づいて、リダイレクトされる目標コアネットワークのコアネットワークタイプを取得することができる。
【００３５】
具体的な実現方法としては、前記ネットワーク変更指示情報がネットワークを変更するか否かを指示するネットワーク変更指示である場合、端末は、該ネットワーク変更指示が示すネットワークを変更するか否かに応じて、リダイレクトされる目標コアネットワークタイプを把握する。
【００３６】
例えば、端末が現在アクセスしているコアネットワークが５ＧコアネットワークＮＧＣＮであると仮定すると、端末が受信したネットワーク変更指示が、ネットワークの変更を指示する場合、端末がリダイレクトされる目標コアネットワークのコアネットワークタイプが４ＧコアネットワークＥＰＣであることを知ることができ、端末が受信したネットワーク変更指示が、コアネットワークを変更しないことを示す場合、リダイレクトされる目標コアネットワークのコアネットワークタイプは５ＧコアネットワークＮＧＣＮのままであることが分かる。
【００３７】
また、例えば、端末が現在アクセスしているコアネットワークが４ＧコアネットワークＥＰＣであると仮定し、端末が受信したネットワーク変更指示が示すネットワークを変更するか否かが、変更されたコアネットワークである場合、端末は、リダイレクトされる目標コアネットワークのコアネットワークタイプが５ＧコアネットワークＮＧＣＮであることを知ることができ、端末は、受信したネットワーク変更指示が、コアネットワークを変更しないことを示す場合、リダイレクトされる目標コアネットワークタイプは４ＧコアネットワークＥＰＣのままであることを知ることができる。
【００３８】
また、他の具体的な実現方法として、前記ネットワーク変更指示情報が、リダイレクトされる目標コアネットワークのコアネットワークタイプを示す目標コアネットワークのコアネットワーク識別子である場合、端末は、この目標コアネットワーク識別子に基づいて、リダイレクトされる目標コアネットワークのコアネットワークタイプを把握することができる。
【００３９】
例えば、端末が現在アクセスしているコアネットワークが５ＧコアネットワークＮＧＣＮであると仮定すると、端末は、受信した目標コアネットワーク識別子が示すリダイレクトされる目標コアネットワークのコアネットワークタイプが４ＧコアネットワークＥＰＣである場合、リダイレクトされる目標コアネットワークのコアネットワークタイプは４ＧコアネットワークＥＰＣであることを知ることができ、端末が受信した目標コアネットワーク識別子が示すリダイレクトされる目標コアネットワークのコアネットワークタイプが５ＧコアネットワークＮＧＣＮであれば、端末はリダイレクトされる目標コアネットワークのコアネットワークタイプが５ＧコアネットワークＮＧＣＮのままであることを知ることができる。
【００４０】
また、例えば、端末が現在アクセスしているコアネットワークが４ＧコアネットワークＥＰＣであると仮定し、端末が受信したターゲットコアネットワーク識別子が示すリダイレクトされる目標コアネットワークのコアネットワークタイプが５ＧコアネットワークＮＧＣＮである場合、端末は、リダイレクトされる目標コアネットワークのコアネットワークタイプが５ＧコアネットワークＮＧＣＮであることを知ることができ、端末が受信した目標コアネットワーク識別子が示すリダイレクトされる目標コアネットワークのコアネットワークタイプが４ＧコアネットワークＥＰＣである場合、リダイレクトされる目標コアネットワークのコアネットワークタイプは４ＧコアネットワークＥＰＣのままであることを知ることができる。
【００４１】
任意選択で、この実施例の実現可能な方式において、１０３において、前記端末は、リダイレクトされる目標アクセスネットワークデバイスに、指示前記目標コアネットワークのコアネットワークタイプを示すコアネットワークタイプ指示情報を送信して、前記端末が前記目標アクセスネットワークデバイスを介して前記目標コアネットワークにアクセスすることができる。
【００４２】
なお、リダイレクトされる目標アクセスネットワークデバイスの決定と選択は、従来の技術を用いて端末に指示することができ、本実施例では特に限定しない。
【００４３】
具体的に、前記端末が前記目標アクセスネットワークデバイスにＲＲＣ接続要求（ＲＲＣ Ｃｏｎｎｅｃｔｉｏｎ Ｒｅｑｕｅｓｔ）メッセージを送信し、前記ＲＲＣ接続要求メッセージに前記コアネットワークタイプ指示情報が含まれる。
【００４４】
この実施例では、前記コアネットワークタイプ指示情報は、コアネットワークタイプ指示であってもよく、或いは、５Ｇコアネットワークの非アクセス層( Ｎｏｎ−Ａｃｃｅｓｓ Ｓｔｒａｔｕｍ、ＮＡＳ )能力であってもよく、本実施例は、これに特に限定されない。
【００４５】
ここで、
前記コアネットワークタイプ指示は、リダイレクトされる目標コアネットワークのコアネットワークタイプを示し、特にＭｅｓｓａｇｅ５メッセージ又はＭｅｓｓａｇｅ３メッセージに含まれ得る。例えば、コアネットワークタイプ指定として１ビットを採用し、１は５ＧコアネットワークＮＧＣＮ、０は４ＧコアネットワークＥＰＣ、又は、０は５ＧコアネットワークＮＧＣＮ、１は４ＧコアネットワークＥＰＣを示す。
【００４６】
前記ＮＡＳ能力は、リダイレクトされる目標コアネットワークのコアネットワークタイプを示すために使用される。例えば、ＮＡＳ能力を持つ場合、５Ｇコア網ＮＧＣＮを表し、ＮＡＳ能力を持たない場合、４ＧコアネットワークＥＰＣをデフォルトで表す。
【００４７】
目標アクセスネットワークデバイスがコアネットワークタイプ指示情報を受信した後、この目標アクセスネットワークデバイスは、コアネットワークタイプ指示情報によって示されるリダイレクトされる目標コアネットワークにアクセスするコアネットワークアクセスフローを実行し得る。
【００４８】
例えば、目標アクセスネットワークデバイスが受信したコアネットワークタイプ指示情報が示すリダイレクトされる目標コアネットワークのコアネットワークタイプが４ＧコアネットワークＥＰＣであれば、目標アクセスネットワークデバイスは、４ＧコアネットワークＥＰＣのコアネットワークアクセスフローを実行することができる。
【００４９】
また、例えば、目標アクセスネットワークデバイスが受信したコアネットワークタイプ指示情報が示すリダイレクトされる目標コアネットワークのコアネットワークタイプが５ＧコアネットワークＮＧＣＮであれば、目標アクセスネットワークデバイスは、５ＧコアネットワークＮＧＣＮのコアネットワークアクセスフローを実行することができる。
【００５０】
この実施例において、アクセスネットワークデバイスが端末にリダイレクトのためのネットワーク変更指示情報を送信して、端末が前記ネットワーク変更指示情報に基づいて、リダイレクトされる目標コアネットワークのコアネットワークタイプを把握し、さらに、コアネットワークタイプに応じてターゲットコアネットワークにアクセスすることで、異なるタイプのコアネットワーク間のインタフェースを依存することなく、異なるタイプのコアネットワーク間のネットワーク変更を実現でき、異なるタイプのコアネットワーク間のネットワーク変更の信頼性が向上する。
【００５１】
図２は本発明の他の実施例におけるネットワークのリダイレクト方法のフローチャートであり、図２に示すように、以下のステップを含む。
【００５２】
２０１において、前記端末が前記ネットワーク変更指示情報に基づいて、リダイレクトされる目標コアネットワークのコアネットワークタイプを取得し、前記コアネットワークタイプに基づいて、前記目標コアネットワークにアクセスするように、アクセスネットワークデバイスが端末にリダイレクトのためのネットワーク変更指示情報を送信する。
【００５３】
本発明の核心思想は、アクセスネットワークデバイスが端末にリダイレクトのためのネットワーク変更指示情報を送信して、端末が前記ネットワーク変更指示情報に基づいて、リダイレクトされる目標コアネットワークのコアネットワークタイプを把握するように指示し、前記コアネットワークタイプに基づいて、前記目標コアネットワークにアクセスする
これにより、異なるタイプのコアネットワーク間のインタフェースに依存することなく、異なるタイプのコアネットワーク間のネットワーク変更を実現することができ、異なるタイプのコアネットワーク間のネットワーク変更の信頼性を向上させることができる。
【００５４】
なお、本実施例は、５ＧコアネットワークＮＧＣＮから４ＧコアネットワークＥＰＣへのネットワーク変更や、さらに４ＧコアネットワークＥＰＣから５ＧコアネットワークＮＧＣＮへのネットワーク変更など、異なるタイプのコアネットワーク間のネットワーク変更にも適用可能である。以下、異なる実施形態をそれぞれ参照して詳細に説明する。
【００５５】
本実施例において、前記ネットワーク変更指示情報は、ネットワーク変更指示であってもよく、或いは目標コアネットワーク識別子であってもよく、本実施例では特に限定しない。
【００５６】
ここで、
前記ネットワーク変更指示は、コアネットワークを変更するか否かを指示する。例えば、１ビットをネットワーク変更指示として採用することができ、１がコアネットワークを変更することを示し、０がコアネットワークを変更しないことを示し、又は、０がコアネットワークを変更することを示し、１がコアネットワークを変更しないことを示す。
【００５７】
前記目標コアネットワーク識別子は、リダイレクトされる目標コアネットワークのコアネットワークタイプを示す。例えば、目標コアネットワーク識別子として１ビットを採用し、１は５ＧコアネットワークＮＧＣＮを表し、０は４ＧコアネットワークＥＰＣを表し、又は、０は５ＧコアネットワークＮＧＣＮを表し、１は４ＧコアネットワークＥＰＣを表す。
【００５８】
任意選択で、この実施例の実現可能な方式において、２０１の前に、アクセスネットワークデバイスは、さらに、移動管理デバイスにより送信された、ネットワーク変更のためのネットワーク変更要求情報を受信する。
【００５９】
ここで、前記ネットワーク変更要求情報は、具体的に、音声サービス又は緊急サービスの音声フォールバック（Ｆａｌｌｂａｃｋ）に使用されるネットワーク変更要求情報であってもよい。
【００６０】
具体的には、前記ネットワーク変更要求情報は、ネットワーク変更指示であってもよいし、目標コアネットワーク識別子であってもよく、本実施形態では特に限定しない。
【００６１】
ここで、
前記ネットワーク変更指示は、コアネットワークを変更するか否かを指示する。例えば、１ビットをネットワーク変更指示として採用することができ、１がコアネットワークを変更することを示し、０がコアネットワークを変更しないことを示し、又は、０がコアネットワークを変更することを示し、１がコアネットワークを変更しないことを示す。
【００６２】
前記目標コアネットワーク識別子は、リダイレクトされる目標コアネットワークのコアネットワークタイプを示す。例えば、目標コアネットワーク識別子として１ビットを採用し、１は５ＧコアネットワークＮＧＣＮを表し、０は４ＧコアネットワークＥＰＣを表し、又は、０は５ＧコアネットワークＮＧＣＮを表し、１は４ＧコアネットワークＥＰＣを表す。
【００６３】
１つの特定の実現過程において、ＵＥが現在５ＧコアネットワークＮＧＣＮにアクセスしている場合、このＮＧＣＮにアクセスするアクセスネットワークデバイスｅＮＢ又はｇＮＢは、ＡＭＦによって送信されたＮ２要求（Ｎ２ Ｒｅｑｕｅｓｔ）メッセージを受信することができ、このＮ２ Ｒｅｑｕｅｓｔメッセージにネットワーク変更要求情報が含まれる。
【００６４】
他の特定の実現方式において、ＵＥが４ＧコアネットワークＥＰＣに現在アクセスしており、その場合、ＥＰＣにアクセスするアクセスネットワークデバイスｅＮＢは、ＭＭＥによって送信されたＵＥコンテキスト変更要求( ＵＥ ＣＯＮＴＥＸＴ ＭＯＤＩＦＩＣＡＴＩＯＮ ＲＥＱＵＥＳＴ )メッセージを受信することができ、このＵＥ ＣＯＮＴＥＸＴ ＭＯＤＩＦＩＣＡＴＩＯＮ ＲＥＱＵＥＳＴメッセージにネットワーク変更要求情報が含まれる。
【００６５】
任意選択で、この実施例の実現可能な方式において、２０１において、前記アクセスネットワークデバイスが前記端末にＲＲＣ接続解放（ＲＲＣ  Ｃｏｎｎｅｃｔｉｏｎ  Ｒｅｌｅａｓｅ）メッセージを送信し、前記ＲＲＣ接続解放メッセージに前記ネットワーク変更指示情報が含まれる
具体的には、このネットワーク変更指示情報は、特に、解放理由( ＲｅｌｅａｓｅＣａｕｓｅ ) ＩＥなどのような、ＲＲＣ  Ｃｏｎｎｅｃｔｉｏｎ  Ｒｅｌｅａｓｅメッセージ内の既存の情報要素( Ｉｎｆｏｒｍａｔｉｏｎ Ｅｌｅｍｅｎｔ、ＩＥ )によって搬送されてもよく、またはＲＲＣ  Ｃｏｎｎｅｃｔｉｏｎ  Ｒｅｌｅａｓｅメッセージ内の新たな追加ＩＥによって搬送されてもよく、本実施形態は、特に限定されない。
【００６６】
この実施例において、端末がアクセスネットワークデバイスにより送信された前記ネットワーク変更指示情報を受信した後、前記ネットワーク変更指示情報に基づいて、リダイレクトされる目標コアネットワークのコアネットワークタイプを把握することができる。
【００６７】
具体的な実現方式において、前記ネットワーク変更指示情報がネットワーク変更指示である場合、端末は、このネットワーク変更指示が示すネットワーク変更の要否に基づいて、リダイレクトされる目標コアネットワークのコアネットワークタイプを把握することができる。
【００６８】
例えば、端末が現在アクセスしているコアネットワークが５ＧコアネットワークＮＧＣＮであると仮定すると、端末が受信したネットワーク変更指示が、ネットワークの変更を指示する場合、端末がリダイレクトされる目標コアネットワークのコアネットワークタイプが４ＧコアネットワークＥＰＣであることを知ることができ、端末が受信したネットワーク変更指示が、コアネットワークを変更しないことを示す場合、リダイレクトされる目標コアネットワークのコアネットワークタイプは５ＧコアネットワークＮＧＣＮのままであることが分かる。
【００６９】
また、例えば、端末が現在アクセスしているコアネットワークが４ＧコアネットワークＥＰＣであると仮定し、端末が受信したネットワーク変更指示が示すネットワークを変更するか否かが、変更されたコアネットワークである場合、端末は、リダイレクトされる目標コアネットワークのコアネットワークタイプが５ＧコアネットワークＮＧＣＮであることを知ることができ、端末は、受信したネットワーク変更指示が、コアネットワークを変更しないことを示す場合、リダイレクトされる目標コアネットワークタイプは４ＧコアネットワークＥＰＣのままであることを知ることができる。
【００７０】
また、他の具体的な実現方法として、前記ネットワーク変更指示情報が、リダイレクトされる目標コアネットワークのコアネットワークタイプを示す目標コアネットワークのコアネットワーク識別子である場合、端末は、この目標コアネットワーク識別子に基づいて、リダイレクトされる目標コアネットワークのコアネットワークタイプを把握することができる。
【００７１】
例えば、端末が現在アクセスしているコアネットワークが５ＧコアネットワークＮＧＣＮであると仮定すると、端末は、受信した目標コアネットワーク識別子が示すリダイレクトされる目標コアネットワークのコアネットワークタイプが４ＧコアネットワークＥＰＣである場合、リダイレクトされる目標コアネットワークのコアネットワークタイプは４ＧコアネットワークＥＰＣであることを知ることができ、端末が受信した目標コアネットワーク識別子が示すリダイレクトされる目標コアネットワークのコアネットワークタイプが５ＧコアネットワークＮＧＣＮであれば、端末はリダイレクトされる目標コアネットワークのコアネットワークタイプが５ＧコアネットワークＮＧＣＮのままであることを知ることができる。
【００７２】
また、例えば、端末が現在アクセスしているコアネットワークが４ＧコアネットワークＥＰＣであると仮定し、端末が受信したターゲットコアネットワーク識別子が示すリダイレクトされる目標コアネットワークのコアネットワークタイプが５ＧコアネットワークＮＧＣＮである場合、端末は、リダイレクトされる目標コアネットワークのコアネットワークタイプが５ＧコアネットワークＮＧＣＮであることを知ることができ、端末が受信した目標コアネットワーク識別子が示すリダイレクトされる目標コアネットワークのコアネットワークタイプが４ＧコアネットワークＥＰＣである場合、リダイレクトされる目標コアネットワークのコアネットワークタイプは４ＧコアネットワークＥＰＣのままであることを知ることができる。
【００７３】
なお、ネットワーク変更指示情報が目標コアネットワーク識別子である場合、現在アクセスされているコアネットワークを示すために、目標コアネットワーク識別子をデフォルトで表し、識別情報を持たないことも採用され得る。
【００７４】
この実施例において、端末は、リダイレクトされる目標コアネットワークのコアネットワークタイプを取得した後、この目標コアネットワークに直接にアクセスすることができる。具体的に、リダイレクトされる目標アクセスネットワークデバイスに前記目標コアネットワークのコアネットワークタイプを示すコアネットワークタイプ指示情報を送信して、前記端末は、前記目標アクセスネットワークデバイスに基づいて前記目標コアネットワークにアクセスする。
【００７５】
なお、リダイレクトされる目標アクセスネットワークデバイスの決定と選択は、従来の技術を用いて端末に指示することができ、本実施例では特に限定しない。
【００７６】
具体的に、前記端末が前記目標アクセスネットワークデバイスにＲＲＣ接続要求（ＲＲＣ Ｃｏｎｎｅｃｔｉｏｎ Ｒｅｑｕｅｓｔ）メッセージを送信し、前記ＲＲＣ接続要求メッセージに前記コアネットワークタイプ指示情報が含まれる。
【００７７】
この実施例では、前記コアネットワークタイプ指示情報は、コアネットワークタイプ指示であってもよく、或いは、５Ｇコアネットワークの非アクセス層( Ｎｏｎ−Ａｃｃｅｓｓ Ｓｔｒａｔｕｍ、ＮＡＳ )能力であってもよく、本実施例は、これに特に限定されない。
【００７８】
ここで、
前記コアネットワークタイプ指示は、リダイレクトされる目標コアネットワークのコアネットワークタイプを示し、特にＭｅｓｓａｇｅ５メッセージ又はＭｅｓｓａｇｅ３メッセージに含まれ得る。例えば、コアネットワークタイプ指定として１ビットを採用し、１は５ＧコアネットワークＮＧＣＮ、０は４ＧコアネットワークＥＰＣ、又は、０は５ＧコアネットワークＮＧＣＮ、１は４ＧコアネットワークＥＰＣを示す。
【００７９】
前記ＮＡＳ能力は、リダイレクトされる目標コアネットワークのコアネットワークタイプを示すために使用される。例えば、ＮＡＳ能力を持つ場合、５Ｇコア網ＮＧＣＮを表し、ＮＡＳ能力を持たない場合、４ＧコアネットワークＥＰＣをデフォルトで表す。
【００８０】
目標アクセスネットワークデバイスがコアネットワークタイプ指示情報を受信した後、この目標アクセスネットワークデバイスは、コアネットワークタイプ指示情報によって示されるリダイレクトされる目標コアネットワークにアクセスするコアネットワークアクセスフローを実行し得る。
【００８１】
例えば、目標アクセスネットワークデバイスが受信したコアネットワークタイプ指示情報が示すリダイレクトされる目標コアネットワークのコアネットワークタイプが４ＧコアネットワークＥＰＣであれば、目標アクセスネットワークデバイスは、４ＧコアネットワークＥＰＣのコアネットワークアクセスフローを実行することができる。
【００８２】
また、例えば、目標アクセスネットワークデバイスが受信したコアネットワークタイプ指示情報が示すリダイレクトされる目標コアネットワークのコアネットワークタイプが５ＧコアネットワークＮＧＣＮであれば、目標アクセスネットワークデバイスは、５ＧコアネットワークＮＧＣＮのコアネットワークアクセスフローを実行することができる。
【００８３】
この実施例において、アクセスネットワークデバイスが端末にリダイレクトのためのネットワーク変更指示情報を送信して、端末が前記ネットワーク変更指示情報に基づいて、リダイレクトされる目標コアネットワークのコアネットワークタイプを把握し、さらに、コアネットワークタイプに応じてターゲットコアネットワークにアクセスすることで、異なるタイプのコアネットワーク間のインタフェースを依存することなく、異なるタイプのコアネットワーク間のネットワーク変更を実現でき、異なるタイプのコアネットワーク間のネットワーク変更の信頼性が向上する。
【００８４】
図３は本発明の他の実施例におけるネットワークのリダイレクト方法のフローチャートである、図３に示すように、以下のステップを含む。
【００８５】
３０１において、前記アクセスネットワークデバイスが端末にリダイレクトされるネットワーク変更指示情報を送信し、前記端末が前記ネットワーク変更指示情報に基づいてリダイレクトされる目標コアネットワークのコアネットワークタイプを取得し、前記コアネットワークタイプに基づいて前記目標コアネットワークにアクセスするように、移動管理デバイスがアクセスネットワークデバイスにネットワーク変更のためのネットワーク変更要求情報を送信する。
【００８６】
本発明の核心思想は、アクセスネットワークデバイスが端末にリダイレクトのためのネットワーク変更指示情報を送信して、端末が前記ネットワーク変更指示情報に基づいて、リダイレクトされる目標コアネットワークのコアネットワークタイプを把握するように指示し、前記コアネットワークタイプに基づいて、前記目標コアネットワークにアクセスする
これにより、異なるタイプのコアネットワーク間のインタフェースに依存することなく、異なるタイプのコアネットワーク間のネットワーク変更を実現することができ、異なるタイプのコアネットワーク間のネットワーク変更の信頼性を向上させることができる。
【００８７】
なお、本実施例は、５ＧコアネットワークＮＧＣＮから４ＧコアネットワークＥＰＣへのネットワーク変更や、さらに４ＧコアネットワークＥＰＣから５ＧコアネットワークＮＧＣＮへのネットワーク変更など、異なるタイプのコアネットワーク間のネットワーク変更にも適用可能である。以下、異なる実施形態をそれぞれ参照して詳細に説明する。
【００８８】
本実施例において、前記ネットワーク変更指示情報は、ネットワーク変更指示であってもよく、或いは目標コアネットワーク識別子であってもよく、本実施例では特に限定しない。
【００８９】
ここで、
前記ネットワーク変更指示は、コアネットワークを変更するか否かを指示する。例えば、１ビットをネットワーク変更指示として採用することができ、１がコアネットワークを変更することを示し、０がコアネットワークを変更しないことを示し、又は、０がコアネットワークを変更することを示し、１がコアネットワークを変更しないことを示す。
【００９０】
前記目標コアネットワーク識別子は、リダイレクトされる目標コアネットワークのコアネットワークタイプを示す。例えば、目標コアネットワーク識別子として１ビットを採用し、１は５ＧコアネットワークＮＧＣＮを表し、０は４ＧコアネットワークＥＰＣを表し、又は、０は５ＧコアネットワークＮＧＣＮを表し、１は４ＧコアネットワークＥＰＣを表す。
【００９１】
任意選択で、この実施例の実現可能な方式において、３０１において、前記移動管理デバイスは、従来のメッセージを介して、前記アクセスネットワークデバイスにネットワーク変更のためのネットワーク変更要求情報を送信することができる。
【００９２】
ここで、前記ネットワーク変更要求情報は、具体的に、音声サービス又は緊急サービスの音声フォールバック（Ｆａｌｌｂａｃｋ）に使用されるネットワーク変更要求情報であってもよい。
【００９３】
具体的には、前記ネットワーク変更要求情報は、ネットワーク変更指示であってもよいし、目標コアネットワーク識別子であってもよく、本実施形態では特に限定しない。
【００９４】
ここで、
前記ネットワーク変更指示は、コアネットワークを変更するか否かを指示する。例えば、１ビットをネットワーク変更指示として採用することができ、１がコアネットワークを変更することを示し、０がコアネットワークを変更しないことを示し、又は、０がコアネットワークを変更することを示し、１がコアネットワークを変更しないことを示す。
【００９５】
前記目標コアネットワーク識別子は、リダイレクトされる目標コアネットワークのコアネットワークタイプを示す。例えば、目標コアネットワーク識別子として１ビットを採用し、１は５ＧコアネットワークＮＧＣＮを表し、０は４ＧコアネットワークＥＰＣを表し、又は、０は５ＧコアネットワークＮＧＣＮを表し、１は４ＧコアネットワークＥＰＣを表す。
【００９６】
１つの特定の実現過程において、ＵＥが現在５ＧコアネットワークＮＧＣＮにアクセスしている場合、ＡＭＦが、このＮＧＣＮにアクセスするアクセスネットワークデバイスｅＮＢ又はｇＮＢにＮ２要求（Ｎ２ Ｒｅｑｕｅｓｔ）メッセージを送信することができ、このＮ２ Ｒｅｑｕｅｓｔメッセージにネットワーク変更要求情報が含まれる。
【００９７】
他の特定の実現方式において、ＵＥが４ＧコアネットワークＥＰＣに現在アクセスする場合、ＭＭＥ は、このＥＰＣにアクセスするアクセスネットワークデバイスｅＮＢにＵＥコンテキスト変更要求( ＵＥ ＣＯＮＴＥＸＴ ＭＯＤＩＦＩＣＡＴＩＯＮ ＲＥＱＵＥＳＴ )メッセージを送信することができ、このＵＥ ＣＯＮＴＥＸＴ ＭＯＤＩＦＩＣＡＴＩＯＮ ＲＥＱＵＥＳＴメッセージにネットワーク変更要求情報が含まれる
この実施例において、アクセスネットワークデバイスは、移動管理デバイスにより送信された前記ネットワーク変更要求情報を受信した後、端末にリダイレクトのためのネットワーク変更指示情報を送信して、前記端末が前記ネットワーク変更指示情報に基づいて、リダイレクトされる目標コアネットワークのコアネットワークタイプを取得し、前記コアネットワークタイプに基づいて、前記目標コアネットワークにアクセスする。
【００９８】
具体的に、前記アクセスネットワークデバイスは、前記端末にＲＲＣ接続解放（ＲＲＣ  Ｃｏｎｎｅｃｔｉｏｎ  Ｒｅｌｅａｓｅ）メッセージを送信し、前記ＲＲＣ接続解放メッセージに前記ネットワーク変更指示情報が含まれる。
【００９９】
具体的には、このネットワーク変更指示情報は、特に、解放理由( ＲｅｌｅａｓｅＣａｕｓｅ ) ＩＥなどのような、ＲＲＣ  Ｃｏｎｎｅｃｔｉｏｎ  Ｒｅｌｅａｓｅメッセージ内の既存の情報要素( Ｉｎｆｏｒｍａｔｉｏｎ Ｅｌｅｍｅｎｔ、ＩＥ )によって搬送されてもよく、またはＲＲＣ  Ｃｏｎｎｅｃｔｉｏｎ  Ｒｅｌｅａｓｅメッセージ内の新たな追加ＩＥによって搬送されてもよく、本実施形態は、特に限定されない。
【０１００】
この実施例において、端末がアクセスネットワークデバイスにより送信された前記ネットワーク変更指示情報を受信した後、前記ネットワーク変更指示情報に基づいて、リダイレクトされる目標コアネットワークのコアネットワークタイプを把握することができる。
【０１０１】
具体的な実施例において、前記ネットワーク変更指示情報がネットワーク変更指示である場合、端末は、このネットワーク変更指示が示すネットワーク変更の要否に基づいて、リダイレクトされる目標コアネットワークのコアネットワークタイプを取得することができる。
【０１０２】
例えば、端末が現在アクセスしているコアネットワークが５ＧコアネットワークＮＧＣＮであると仮定すると、端末が受信したネットワーク変更指示が、ネットワークの変更を指示する場合、端末がリダイレクトされる目標コアネットワークのコアネットワークタイプが４ＧコアネットワークＥＰＣであることを知ることができ、端末が受信したネットワーク変更指示が、コアネットワークを変更しないことを示す場合、リダイレクトされる目標コアネットワークのコアネットワークタイプは５ＧコアネットワークＮＧＣＮのままであることが分かる。
【０１０３】
また、例えば、端末が現在アクセスしているコアネットワークが４ＧコアネットワークＥＰＣであると仮定し、端末が受信したネットワーク変更指示が示すネットワークを変更するか否かが、変更されたコアネットワークである場合、端末は、リダイレクトされる目標コアネットワークのコアネットワークタイプが５ＧコアネットワークＮＧＣＮであることを知ることができ、端末は、受信したネットワーク変更指示が、コアネットワークを変更しないことを示す場合、リダイレクトされる目標コアネットワークタイプは４ＧコアネットワークＥＰＣのままであることを知ることができる。
【０１０４】
また、他の具体的な実現方法として、前記ネットワーク変更指示情報が、リダイレクトされる目標コアネットワークのコアネットワークタイプを示す目標コアネットワークのコアネットワーク識別子である場合、端末は、この目標コアネットワーク識別子に基づいて、リダイレクトされる目標コアネットワークのコアネットワークタイプを把握することができる。
【０１０５】
例えば、端末が現在アクセスしているコアネットワークが５ＧコアネットワークＮＧＣＮであると仮定すると、端末は、受信した目標コアネットワーク識別子が示すリダイレクトされる目標コアネットワークのコアネットワークタイプが４ＧコアネットワークＥＰＣである場合、リダイレクトされる目標コアネットワークのコアネットワークタイプは４ＧコアネットワークＥＰＣであることを知ることができ、端末が受信した目標コアネットワーク識別子が示すリダイレクトされる目標コアネットワークのコアネットワークタイプが５ＧコアネットワークＮＧＣＮであれば、端末はリダイレクトされる目標コアネットワークのコアネットワークタイプが５ＧコアネットワークＮＧＣＮのままであることを知ることができる。
【０１０６】
また、例えば、端末が現在アクセスしているコアネットワークが４ＧコアネットワークＥＰＣであると仮定し、端末が受信したターゲットコアネットワーク識別子が示すリダイレクトされる目標コアネットワークのコアネットワークタイプが５ＧコアネットワークＮＧＣＮである場合、端末は、リダイレクトされる目標コアネットワークのコアネットワークタイプが５ＧコアネットワークＮＧＣＮであることを知ることができ、端末が受信した目標コアネットワーク識別子が示すリダイレクトされる目標コアネットワークのコアネットワークタイプが４ＧコアネットワークＥＰＣである場合、リダイレクトされる目標コアネットワークのコアネットワークタイプは４ＧコアネットワークＥＰＣのままであることを知ることができる。
【０１０７】
なお、ネットワーク変更指示情報が目標コアネットワーク識別子である場合、現在アクセスされているコアネットワークを示すために、目標コアネットワーク識別子をデフォルトで表し、識別情報を持たないことも採用され得る。
【０１０８】
この実施例において、端末は、リダイレクトされる目標コアネットワークのコアネットワークタイプを取得した後、この目標コアネットワークに直接にアクセスすることができる。具体的に、リダイレクトされる目標アクセスネットワークデバイスに前記目標コアネットワークのコアネットワークタイプを示すコアネットワークタイプ指示情報を送信して、前記端末は、前記目標アクセスネットワークデバイスに基づいて前記目標コアネットワークにアクセスする。
【０１０９】
なお、リダイレクトされる目標アクセスネットワークデバイスの決定と選択は、従来の技術を用いて端末に指示することができ、本実施例では特に限定しない。
【０１１０】
具体的に、前記端末が前記目標アクセスネットワークデバイスにＲＲＣ接続要求（ＲＲＣ Ｃｏｎｎｅｃｔｉｏｎ Ｒｅｑｕｅｓｔ）メッセージを送信し、前記ＲＲＣ接続要求メッセージに前記コアネットワークタイプ指示情報が含まれる。
【０１１１】
この実施例では、前記コアネットワークタイプ指示情報は、コアネットワークタイプ指示であってもよく、或いは、５Ｇコアネットワークの非アクセス層( Ｎｏｎ−Ａｃｃｅｓｓ Ｓｔｒａｔｕｍ、ＮＡＳ )能力であってもよく、本実施例は、これに特に限定されない。
【０１１２】
ここで、
前記コアネットワークタイプ指示は、リダイレクトされる目標コアネットワークのコアネットワークタイプを示し、特にＭｅｓｓａｇｅ５メッセージ又はＭｅｓｓａｇｅ３メッセージに含まれ得る。例えば、コアネットワークタイプ指定として１ビットを採用し、１は５ＧコアネットワークＮＧＣＮ、０は４ＧコアネットワークＥＰＣ、又は、０は５ＧコアネットワークＮＧＣＮ、１は４ＧコアネットワークＥＰＣを示す。
【０１１３】
前記ＮＡＳ能力は、リダイレクトされる目標コアネットワークのコアネットワークタイプを示すために使用される。例えば、ＮＡＳ能力を持つ場合、５Ｇコア網ＮＧＣＮを表し、ＮＡＳ能力を持たない場合、４ＧコアネットワークＥＰＣをデフォルトで表す。
【０１１４】
目標アクセスネットワークデバイスがコアネットワークタイプ指示情報を受信した後、この目標アクセスネットワークデバイスは、コアネットワークタイプ指示情報によって示されるリダイレクトされる目標コアネットワークにアクセスするコアネットワークアクセスフローを実行し得る。
【０１１５】
例えば、目標アクセスネットワークデバイスが受信したコアネットワークタイプ指示情報が示すリダイレクトされる目標コアネットワークのコアネットワークタイプが４ＧコアネットワークＥＰＣであれば、目標アクセスネットワークデバイスは、４ＧコアネットワークＥＰＣのコアネットワークアクセスフローを実行することができる。
【０１１６】
また、例えば、目標アクセスネットワークデバイスが受信したコアネットワークタイプ指示情報が示すリダイレクトされる目標コアネットワークのコアネットワークタイプが５ＧコアネットワークＮＧＣＮであれば、目標アクセスネットワークデバイスは、５ＧコアネットワークＮＧＣＮのコアネットワークアクセスフローを実行することができる。
【０１１７】
この実施例において、アクセスネットワークデバイスが端末にリダイレクトのためのネットワーク変更指示情報を送信して、端末が前記ネットワーク変更指示情報に基づいて、リダイレクトされる目標コアネットワークのコアネットワークタイプを把握し、さらに、コアネットワークタイプに応じてターゲットコアネットワークにアクセスすることで、異なるタイプのコアネットワーク間のインタフェースを依存することなく、異なるタイプのコアネットワーク間のネットワーク変更を実現でき、異なるタイプのコアネットワーク間のネットワーク変更の信頼性が向上する。
【０１１８】
なお、前述の各方法の実施例は、説明を簡単にするために、全て一連の動作の組み合わせとして表現したが、当業者であれば、本発明は、説明された動作の順序に限定されるものではなく、本発明によって、あるステップが他の順序で、または同時に行われてもよい。次に、当業者は、本明細書に記述された実施例が全て好ましい実施例に含まれることを理解するであろうが、かかる動作及びモジュールは必ずしも本発明に必須ではない。
【０１１９】
上記実施形態では、各実施形態についての説明を中心に説明したが、本発明は、上記実施形態に限定されるものではなく、本発明の技術的思想を逸脱しない範囲内で種々の変更が可能である。
【０１２０】
図４は本発明の他の実施例における端末の構成図であり、図４に示すように、受信ユニット４１、取得ユニット４２及びアクセスユニット４３を含む。ここで、受信ユニット４１は、アクセスネットワークデバイスにより送信された、リダイレクトのためのネットワーク変更指示情報を受信するように構成され、取得ユニット４２は、前記ネットワーク変更指示情報に基づいて、リダイレクトされる目標コアネットワークのコアネットワークタイプを取得するように構成され、アクセスユニット４３は、前記コアネットワークタイプに基づいて、前記目標コアネットワークにアクセスするように構成される。
【０１２１】
任意選択で、この実施例の実現可能な方式において、前記受信ユニット４１は、具体的に、前記アクセスネットワークデバイスにより送信されたＲＲＣ接続解放メッセージを受信するように構成され、前記ＲＲＣ接続解放メッセージに前記ネットワーク変更指示情報が含まれる。
【０１２２】
任意選択で、この実施例の実現可能な方式において、前記アクセスユニット４３は、具体的に、リダイレクトされる目標アクセスネットワークデバイスに前記目標コアネットワークのコアネットワークタイプを示すコアネットワークタイプ指示情報を送信して、前記端末が前記目標アクセスネットワークデバイスに基づいて前記目標コアネットワークにアクセスする。
【０１２３】
具体的に、前記アクセスユニット４３は、具体的に、前記目標アクセスネットワークデバイスにＲＲＣ接続要求メッセージを送信するように構成され、前記ＲＲＣ接続要求メッセージに前記コアネットワークタイプ指示情報が含まれる。
【０１２４】
本実施例において、前記ネットワーク変更指示情報は、ネットワーク変更指示であってもよく、或いは目標コアネットワーク識別子であってもよく、本実施例では特に限定しない。
【０１２５】
ここで、
前記ネットワーク変更指示は、コアネットワークを変更するか否かを指示する。例えば、１ビットをネットワーク変更指示として採用することができ、１がコアネットワークを変更することを示し、０がコアネットワークを変更しないことを示し、又は、０がコアネットワークを変更することを示し、１がコアネットワークを変更しないことを示す。
【０１２６】
前記目標コアネットワーク識別子は、リダイレクトされる目標コアネットワークのコアネットワークタイプを示す。例えば、目標コアネットワーク識別子として１ビットを採用し、１は５ＧコアネットワークＮＧＣＮを表し、０は４ＧコアネットワークＥＰＣを表し、又は、０は５ＧコアネットワークＮＧＣＮを表し、１は４ＧコアネットワークＥＰＣを表す。
【０１２７】
この実施例では、前記コアネットワークタイプ指示情報は、コアネットワークタイプ指示であってもよく、或いは、５Ｇコアネットワークの非アクセス層( Ｎｏｎ−Ａｃｃｅｓｓ Ｓｔｒａｔｕｍ、ＮＡＳ )能力であってもよく、本実施例は、これに特に限定されない。
【０１２８】
ここで、
前記コアネットワークタイプ指示は、リダイレクトされる目標コアネットワークのコアネットワークタイプを示し、特にＭｅｓｓａｇｅ５メッセージ又はＭｅｓｓａｇｅ３メッセージに含まれ得る。例えば、コアネットワークタイプ指定として１ビットを採用し、１は５ＧコアネットワークＮＧＣＮ、０は４ＧコアネットワークＥＰＣ、又は、０は５ＧコアネットワークＮＧＣＮ、１は４ＧコアネットワークＥＰＣを示す。
【０１２９】
前記ＮＡＳ能力は、リダイレクトされる目標コアネットワークのコアネットワークタイプを示すために使用される。例えば、ＮＡＳ能力を持つ場合、５Ｇコア網ＮＧＣＮを表し、ＮＡＳ能力を持たない場合、４ＧコアネットワークＥＰＣをデフォルトで表す。
【０１３０】
なお、図１に対応する実施例における端末の機能は、本実施例で提供する端末で実現することができる。詳細な説明は、図１に対応する実施形態の関連内容を参照して、ここで説明を省略する。
【０１３１】
図５Ａは本発明の他の実施例におけるアクセスネットワークデバイスの構成図であり、図５Ａに示すように、送信ユニット５２を含む。ここで、送信ユニット５２は、前記端末が前記ネットワーク変更指示情報に基づいて、リダイレクトされる目標コアネットワークのコアネットワークタイプを取得し、前記コアネットワークタイプに基づいて前記目標コアネットワークにアクセスするように、端末にリダイレクトのためのネットワーク変更指示情報を送信するように構成される。
【０１３２】
任意選択で、この実施例の実現可能な方式において、図５Ｂに示すように、アクセスネットワークデバイスが、さらに、受信ユニット５１を含み、受信ユニット５１は、移動管理デバイスにより送信された、ネットワーク変更のためのネットワーク変更要求情報を受信するように構成される。
【０１３３】
ここで、前記ネットワーク変更要求情報は、具体的に、音声サービス又は緊急サービスの音声フォールバック（Ｆａｌｌｂａｃｋ）に使用されるネットワーク変更要求情報であってもよい。
【０１３４】
この実現方式において、前記受信ユニット５１は、前記移動管理デバイスにより送信されたＮ２要求メッセージ又はＵＥコンテキスト変更要求メッセージを受信するように構成され、前記Ｎ２要求メッセージ又は前記ＵＥコンテキスト変更要求メッセージには前記ネットワーク変更要求情報が含まれる。
【０１３５】
任意選択で、この実施例の実現可能な方式において、前記送信ユニット５２は、具体的に、前記端末にＲＲＣ接続解放メッセージを送信するように構成され、前記ＲＲＣ接続解放メッセージに前記ネットワーク変更指示情報が含まれる。
【０１３６】
本実施例において、前記ネットワーク変更指示情報は、ネットワーク変更指示であってもよく、或いは目標コアネットワーク識別子であってもよく、本実施例では特に限定しない。
【０１３７】
ここで、
前記ネットワーク変更指示は、コアネットワークを変更するか否かを指示する。例えば、１ビットをネットワーク変更指示として採用することができ、１がコアネットワークを変更することを示し、０がコアネットワークを変更しないことを示し、又は、０がコアネットワークを変更することを示し、１がコアネットワークを変更しないことを示す。
【０１３８】
前記目標コアネットワーク識別子は、リダイレクトされる目標コアネットワークのコアネットワークタイプを示す。例えば、目標コアネットワーク識別子として１ビットを採用し、１は５ＧコアネットワークＮＧＣＮを表し、０は４ＧコアネットワークＥＰＣを表し、又は、０は５ＧコアネットワークＮＧＣＮを表し、１は４ＧコアネットワークＥＰＣを表す。
【０１３９】
この実施例において、前記ネットワーク変更要求情報は、ネットワーク変更指示、又は、目標コアネットワーク識別子であってもよく、この実施例はこれを限定しない。
【０１４０】
ここで、
前記ネットワーク変更指示は、コアネットワークを変更するか否かを指示する。例えば、１ビットをネットワーク変更指示として採用することができ、１がコアネットワークを変更することを示し、０がコアネットワークを変更しないことを示し、又は、０がコアネットワークを変更することを示し、１がコアネットワークを変更しないことを示す。
【０１４１】
前記目標コアネットワーク識別子は、リダイレクトされる目標コアネットワークのコアネットワークタイプを示す。例えば、目標コアネットワーク識別子として１ビットを採用し、１は５ＧコアネットワークＮＧＣＮを表し、０は４ＧコアネットワークＥＰＣを表し、又は、０は５ＧコアネットワークＮＧＣＮを表し、１は４ＧコアネットワークＥＰＣを表す。
【０１４２】
なお、図２に対応する実施例におけるアクセスネットワークデバイスの機能は、本実施例で提供されるアクセスネットワークデバイスにより実現されてもよい。詳細な説明は、図２に対応する実施形態における関連内容を参照してもよく、ここで説明を省略する。
【０１４３】
図６は本発明の他の実施例における移動管理デバイスの模式図であり、図６に示すように、送信ユニット６１を含み、送信ユニット６１は、前記アクセスネットワークデバイスが端末にリダイレクトのためのネットワーク変更指示情報を送信し、前記端末が前記ネットワーク変更指示情報に基づいて、リダイレクトされる目標コアネットワークのコアネットワークタイプを取得し、前記コアネットワークタイプに基づいて前記目標コアネットワークにアクセスするように、アクセスネットワークデバイスにネットワーク変更のためのネットワーク変更要求情報を送信するように構成される。
【０１４４】
ここで、前記ネットワーク変更要求情報は、具体的に、音声サービス又は緊急サービスの音声フォールバック（Ｆａｌｌｂａｃｋ）に使用されるネットワーク変更要求情報であってもよい。
【０１４５】
任意選択で、この実施例の実現可能な方式において、前記送信ユニット６１は、具体的に、前記アクセスネットワークデバイスにＮ２要求メッセージ又はＵＥコンテキスト変更要求メッセージを送信するように構成され、前記Ｎ２要求メッセージ又は前記ＵＥコンテキスト変更要求メッセージには前記ネットワーク変更要求情報が含まれる。
【０１４６】
本実施例において、前記ネットワーク変更指示情報は、ネットワーク変更指示であってもよく、或いは目標コアネットワーク識別子であってもよく、本実施例では特に限定しない。
【０１４７】
ここで、
前記ネットワーク変更指示は、コアネットワークを変更するか否かを指示する。例えば、１ビットをネットワーク変更指示として採用することができ、１がコアネットワークを変更することを示し、０がコアネットワークを変更しないことを示し、又は、０がコアネットワークを変更することを示し、１がコアネットワークを変更しないことを示す。
【０１４８】
前記目標コアネットワーク識別子は、リダイレクトされる目標コアネットワークのコアネットワークタイプを示す。例えば、目標コアネットワーク識別子として１ビットを採用し、１は５ＧコアネットワークＮＧＣＮを表し、０は４ＧコアネットワークＥＰＣを表し、又は、０は５ＧコアネットワークＮＧＣＮを表し、１は４ＧコアネットワークＥＰＣを表す。
【０１４９】
この実施例において、前記ネットワーク変更要求情報は、ネットワーク変更指示、又は、目標コアネットワーク識別子であってもよく、この実施例はこれを限定しない。
【０１５０】
ここで、
前記ネットワーク変更指示は、コアネットワークを変更するか否かを指示する。例えば、１ビットをネットワーク変更指示として採用することができ、１がコアネットワークを変更することを示し、０がコアネットワークを変更しないことを示し、又は、０がコアネットワークを変更することを示し、１がコアネットワークを変更しないことを示す。
【０１５１】
前記目標コアネットワーク識別子は、リダイレクトされる目標コアネットワークのコアネットワークタイプを示す。例えば、目標コアネットワーク識別子として１ビットを採用し、１は５ＧコアネットワークＮＧＣＮを表し、０は４ＧコアネットワークＥＰＣを表し、又は、０は５ＧコアネットワークＮＧＣＮを表し、１は４ＧコアネットワークＥＰＣを表す。
【０１５２】
なお、図３に対応する実施例における移動管理デバイスの機能は、本実施例で提供する移動管理デバイスで実現することができる。詳細な説明は、図３に対応する実施形態の関連内容を参照して、ここでは説明を省略する。
【０１５３】
当業者であれば、説明の便宜及び簡潔にするために、上記に説明されたシステム、装置及びユニットの特定の動作プロセスは、前述の方法の実施形態における対応するプロセスを参照してもよく、ここでその説明が省略されることを理解するであろう。
【０１５４】
本発明によって提供されるいくつかの実施形態において、開示されるシステム、装置、および方法は、他の方法で実現されてもよいことが理解されるべきである。例えば、上記の装置の実施形態は、単に例示的なものであり、例えば、ユニットの分割は、１つの論理的機能の分割にすぎず、実際の実装では、別の分割方法があり得、例えば、複数のユニット又はコンポーネントが組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１５５】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施形態の目的は、必要に応じて各部の一部又は全部を選択して実施することができる。
【０１５６】
また、本発明の各実施例における各機能部は、１つの処理部に集積されてもよいし、各部は物理的に別個に存在してもよいし、２つ以上の部が１つの部に集積されてもよい。上記の統合されたユニットは、ハードウェアの形態で実現されてもよいし、ハードウェア及びソフトウェア機能ユニットの形態で実現されてもよい。
【０１５７】
最後に、上述の実施形態は、本発明の技術思想を説明するためのものであって、本発明を限定するものではなく、本発明の技術思想の範囲内で当業者が理解し得る様々な変形、修正、置換を本発明の実施形態に含まれる全ての変形、置換を本発明の範囲内で行うことができることは、上述の実施形態を参照して説明したところであり、当業者が理解しうるところである。
【図１】
2021513231.tif 000003
【図２】
2021513231.tif 000004
【図３】
2021513231.tif 000005
【図４】
2021513231.tif 000006
【図５Ａ】
2021513231.tif 000007
【図５Ｂ】
2021513231.tif 000008
【図６】
2021513231.tif 000009
【手続補正書】
【提出日】令和2年11月19日(2020.11.19)
【手続補正１】
【補正対象書類名】特許請求の範囲
【補正対象項目名】全文
【補正方法】変更
【補正の内容】
【特許請求の範囲】
【請求項１】
端末がアクセスネットワークデバイスにより送信されたリダイレクトのためのネットワーク変更指示情報を受信することと、
前記端末が前記ネットワーク変更指示情報に基づいて、リダイレクトされる目標コアネットワークのコアネットワークタイプを取得することと、
前記端末が前記コアネットワークタイプに基づいて、前記目標コアネットワークにアクセスすることとを含む
ことを特徴とするネットワークのリダイレクト方法。
【請求項２】
前記ネットワーク変更指示情報は、ネットワーク変更指示又は目標コアネットワークタイプを含む
ことを特徴とする請求項１に記載のネットワークのリダイレクト方法。
【請求項３】
前記端末がアクセスネットワークデバイスにより送信されたリダイレクトのためのネットワーク変更指示情報を受信することは、
前記端末が前記アクセスネットワークデバイスにより送信されたＲＲＣ接続解放メッセージを受信することを含み、前記ＲＲＣ接続解放メッセージに前記ネットワーク変更指示情報が含まれる
ことを特徴とする請求項１に記載のネットワークのリダイレクト方法。
【請求項４】
前記ネットワーク変更指示情報は、目標コアネットワークタイプ又はコアネットワークを変更するかどうかを指示するネットワーク変更指示を含む
ことを特徴とする請求項１〜３のいずれか１項に記載のネットワークのリダイレクト方法。
【請求項５】
端末がネットワーク変更指示情報に基づいて、リダイレクトされる目標コアネットワークのコアネットワークタイプを取得し、前記コアネットワークタイプに基づいて前記目標コアネットワークにアクセスするように、アクセスネットワークデバイスが端末にリダイレクトのためのネットワーク変更タイプ指示情報を送信することを含む
ことを特徴とするネットワークのリダイレクト方法。
【請求項６】
前記アクセスネットワークデバイスが端末にリダイレクトのためのネットワーク変更タイプ指示情報を送信する前に、さらに、
前記アクセスネットワークデバイスが移動管理デバイスにより送信されたネットワーク変更のためのネットワーク変更要求情報を受信することを含む
ことを特徴とする請求項５に記載のネットワークのリダイレクト方法。
【請求項７】
前記ネットワーク変更要求情報は、音声サービス又は緊急サービスの音声フォールバックに使用される
ことを特徴とする請求項６に記載のネットワークのリダイレクト方法。
【請求項８】
前記ネットワーク変更要求情報は、目標コアネットワークタイプ又はコアネットワークを変更するかどうかを指示するネットワーク変更指示を含む
ことを特徴とする請求項６に記載のネットワークのリダイレクト方法。
【請求項９】
前記アクセスネットワークデバイスが端末にリダイレクトのためのネットワーク変更指示情報を送信することは、
前記アクセスネットワークデバイスが前記端末にＲＲＣ接続解放メッセージを送信することを含み、前記ＲＲＣ接続解放メッセージに前記ネットワーク変更指示情報が含まれる
ことを特徴とする請求項５に記載のネットワークのリダイレクト方法。
【請求項１０】
前記ネットワーク変更指示情報は、目標コアネットワークタイプ又はコアネットワークを変更するかどうかを指示するネットワーク変更指示を含む
ことを特徴とする請求項５〜９のいずれか１項に記載のネットワークのリダイレクト方法。
【請求項１１】
受信ユニットと、取得ユニットと、アクセスユニットと、備える端末であって、
前記受信ユニットは、アクセスネットワークデバイスにより送信された、リダイレクトのためのネットワーク変更指示情報を受信するように構成され、
前記取得ユニットは、前記ネットワーク変更指示情報に基づいて、リダイレクトされる目標コアネットワークのコアネットワークタイプを取得するように構成され、
前記アクセスユニットは、前記コアネットワークタイプに基づいて、前記目標コアネットワークにアクセスするように構成される
ことを特徴とする端末。
【請求項１２】
通信インターフェースと、
コンピュータ実行可能命令を格納するように構成されたメモリと、
前記通信インターフェースおよび前記メモリと通信し、前記コンピュータ実行可能命令を実行して、請求項１〜４のいずれか１項に記載のネットワークのリダイレクト方法を実行するように構成される１つまたは複数のプロセッサと、備える
ことを特徴とする端末。
【国際調査報告】
2021513231.tif 000010
2021513231.tif 000011
2021513231.tif 000012
2021513231.tif 000013
2021513231.tif 000014
2021513231.tif 000015